(57)【特許請求の範囲】
【請求項１】
燃焼部と、前記燃焼部で加熱され浴槽の湯水を循環させる浴槽用循環配管と、前記燃焼部で加熱され一端側が逆止弁を介して給水源に連通され他端側が給水栓等に連通された給湯用配管と、前記浴槽用循環配管の所定部と前記給湯用配管の出湯側との間に連通された湯張り路と、前記湯張り路の所定部に配設された開閉弁と、を備えた一缶二水路式の給湯装置であって、
前記開閉弁の下流側と前記給湯用配管の前記燃焼部より給水源側の給水配管とを接続する逃し管路と、前記逃し管路の所定部に配設され前記開閉弁の下流側から前記給湯用配管側への流れを常時阻止し前記給湯用配管内の圧力が所定値以上になった場合に開弁して前記給湯用配管側から前記開閉弁の下流側への流れを許容する過圧防止弁と、を備えたことを特徴とする給湯装置。
【請求項２】
前記過圧防止弁が単体で取り外し可能であることを特徴とする請求項１に記載の給湯装置。
【請求項３】
２連逆止弁又は２以上の逆止弁が、前記湯張り路と前記逃し管路との下流側の連通部より下流側の前記湯張り路に配設されたことを特徴とする請求項１又は２に記載の給湯装置。
【請求項４】
前記過圧防止弁の下流側の通路断面の直径が５ｍｍ〜０．１ｍｍ、好ましくは１．５ｍｍ〜０．５ｍｍであることを特徴とする請求項１乃至３の内何れか一項に記載の給湯装置。
【発明の詳細な説明】
【０００１】
【発明の属する技術分野】
本発明は、給湯が行われた直後、燃焼部の配管内への加熱、後沸き等による湯水の膨張によって発生する膨張水を、配管外への漏れを生ずることなく逃すことのできる一缶二水路式の給湯装置に関する。
【０００２】
【従来の技術】
従来の給湯装置としては、給湯配管の給湯口付近に過圧防止弁を配設し、給湯使用直後の給湯用配管内の後沸き現象による膨張水を配管外へ逃す構成を有するものが知られている。
しかしながら、このような給湯装置においては、
ａ．給湯装置の設置場所がパイプシャフト内では、排水設備がなければ垂れ流しになる。
ｂ．仮に排水設備がある場合は、排水手段を講じる必要がある。
ｃ．膨張水が漏れると、量にもよるがロスが大きい。
等の問題点を有することから、これらの問題点を解決するために種々研究されている。例えば、実開平７−２２３５５号公報（以下、イ号公報という）には、「給水源に連通して水を供給する給水配管と、給水配管に連通して燃焼手段により加熱される熱交換部と、熱交換部に連通して加熱された湯を給湯器具に供給する給湯配管とを具備する給湯装置において、給水管に、逆止弁と圧力逃し弁とを弁ブロックに一体的に内蔵した圧力逃し弁付逆止弁を取付けた給湯装置」が開示されている。
【０００３】
【発明が解決しようとする課題】
しかしながら、上記従来の給湯装置は、以下の課題を有していた。
ａ．圧力逃がし弁の弁体が進退自在に配設されているため水密状態を維持しがたく、沸かした湯水が給水源側に戻り衛生性を損ない安全性に欠ける可能性がある。
ｂ．従来から逆止弁は給湯装置を設置した後に、現地で配設する物であるため、逆止弁が内蔵されている場合は誤って逆止弁をもう一つ配設する可能性がある。
ｃ．逆止弁と圧力逃し弁とが弁ブロックに一体的に内蔵されているため、構造が複雑でメンテナンス性に欠ける。
ｄ．逆止弁と圧力逃し弁の内どちらか一方が故障した場合、弁ブロックごと交換せねばならず、経済性に欠ける。
【０００４】
本発明は上記従来の課題を解決するもので、後沸き現象による湯水の膨張によって発生する膨張水を、配管外への漏れを生ずることなく逃すことができ、メンテナンス性、生産性、安全性に優れた給湯装置を提供することを目的とする。
【０００５】
【課題を解決するための手段】
この目的を達成するために、本発明の請求項１に記載の給湯装置は、燃焼部と、前記燃焼部で加熱され浴槽の湯水を循環させる浴槽用循環配管と、前記燃焼部で加熱され一端側が逆止弁を介して給水源に連通され他端側が給水栓等に連通された給湯用配管と、前記浴槽用循環配管の所定部と前記給湯用配管の出湯側との間に連通された湯張り路と、前記湯張り路の所定部に配設された開閉弁と、を備えた一缶二水路式の給湯装置であって、前記開閉弁の下流側と前記給湯用配管の前記燃焼部より給水源側の給水配管とを接続する逃し管路と、前記逃し管路の所定部に配設され前記開閉弁の下流側から前記給湯用配管側への流れを常時阻止し前記給湯用配管内の圧力が所定値以上になった場合に開弁して前記給湯用配管側から前記開閉弁の下流側への流れを許容する過圧防止弁と、を備えた構成を有している。
この構成により、以下の作用が得られる。
ａ．両端が開閉弁の上流側と下流側とに連通された逃し管路と、逃し管路の所定部に配設された過圧防止弁と、を備えただけなので、構造が簡単で生産性を向上できる。
ｂ．給湯直後の燃焼部の配管内の湯水がいわゆる後沸き現象により膨張すると、圧力は伝播するので給湯用配管に均一にかかる。また、追い焚き時も常時給湯用配管内の圧力は熱膨張により上昇する。この際、給湯用配管内の圧力が設定値以上になると、過圧防止弁が開弁し、膨張水は逃し管路、浴槽用循環配管を通じて浴槽水として排出されるので、排水手段を設けることが不要となり、給湯装置を低原価で量産できるとともに、設置作業の作業工数を大幅に減らすことができる。
ｃ．逆止弁と過圧防止弁とは別個に形成されており、逆止弁は給湯装置を設置したあとに現地において配設するため、逆止弁が二重に取り付けられることがない。
ｄ．給湯用配管と給水源は逆止弁のみで通じており、沸かした湯水が給水源に逆流することがなく、安全性に優れる。
ｅ．給湯用配管内には、給湯用の蛇口を瞬時に閉じた場合、水撃（ウォーターハンマー）による高圧が発生し、給湯用配管内の各部が損傷すると同時に不快な振動、騒音を発生することがあるが、これらを防止又は緩和することができる。
ｆ．逃し管路の上流側の端部が給湯用配管の給水側に連通されているので、過圧防止弁に流入する湯水の温度を抑えることができるので、天然ゴム等の耐熱性の劣る材料を使用してもよく過圧防止弁への負担を軽減することができ、コストアップをおさえることができるとともに耐久性に優れる。
ここで、過圧防止弁としては、配管内の圧力が規定値を超えて上昇した場合に膨張水を開閉弁の下流側へ逃す構成を有するものであればよく、バネ式安全弁が好適に用いられる。
【０００６】
本発明の請求項２に記載の発明は、請求項１に記載の給湯装置であって、前記過圧防止弁が単体で取り外し可能である構成を有している。
この構成により、請求項１の作用に加え、以下の作用を有する。
ａ．過圧防止弁が単体で取り外し可能なため、過圧防止弁が破損しても過圧防止弁だけを取り替えればよく、メンテナンス性に優れている。
ｂ．過圧防止弁を他機種との共通部品とすることができるので、汎用性に優れる。
ｃ．過圧防止弁の材料として要求される耐脱亜鉛性の材料は高値であるが、過圧防止弁を単体で設計するため小型化でき、経済性に優れる。
【０００７】
本発明の請求項３に記載の発明は、請求項１又は２に記載の給湯装置であって、２連逆止弁又は２以上の逆止弁が、前記湯張り路と前記逃し管路との下流側の連通部より下流側の前記湯張り路に配設された構成を有している。
この構成により、請求項１又は２の作用に加え、以下の作用を有する。
ａ．２連逆止弁が配設されているため、浴槽循環用配管の湯水が逃し管路と湯張り路を通じて給湯用配管に流入することがなく、衛生性に優れている。
【０００８】
本発明の請求項４に記載の発明は、請求項１乃至３の何れか一項に記載の給湯装置であって、前記過圧防止弁の下流側の通路断面の直径が５ｍｍ〜０．１ｍｍ、好ましくは１．５ｍｍ〜０．５ｍｍである構成を有している。
この構成により、請求項１乃至３の内何れか一項の作用に加え、以下の作用を有する。
ａ．過圧防止弁が破損し水漏れを生じても、狭通路であるので、微量の水漏れにとどまる。
ここで、過圧防止弁の下流側の通路断面の直径を１．５ｍｍ〜０．５ｍｍとすることにより、給湯用配管内の圧力が後沸き現象等により所定値以上になった場合に圧力をスムーズに浴槽用循環配管側へ逃すことができる。
【０００９】
以下に本発明の実施の形態について、図を参照しながら説明する。
【発明の実施の形態】
（実施の形態）
本発明の一実施の形態における給湯装置について、以下に図面を用いて説明する。
図１は本発明の一実施の形態における給湯装置の概略図である。
図１において、１は本発明の一実施の形態における一缶二水路式の給湯装置、２はバーナ、燃焼ファン、点火装置等を有する燃焼部、３は燃焼部２に加熱され一端側が逆止弁を介して給水源に連通され他端側が給湯器具に連通された給湯用配管、３ａは給湯用配管３の給水源側の配管である給水配管、３ｂは給湯用配管３の出湯側の配管である出湯配管、４は燃焼部２に加熱され浴槽の湯水を循環ポンプ（図示せず）により循環させる浴槽用循環配管、４ａは風呂からの湯水が流入する風呂戻り配管、４ｂは燃焼部２によって加熱された湯水が風呂へ流入する風呂往き配管、５は両端が出湯配管３ｂと風呂往き配管４ｂとに連通された湯張り路、６は湯張り路５の所定部に配設された注湯電磁弁、７は一端側が注湯電磁弁６の下流側の湯張り路５に連通され他端側が給水配管３ａに連通された逃し管路、８は逃し管路７の所定部に単体で取り外し可能に配設されたバネ式安全弁たる過圧防止弁、９は湯張り路５と逃し管路７との下流側の連通部より下流側の湯張り路５に配設され風呂の湯水が給湯用配管３側に逆流するのを防止する２連逆止弁であるが、必ずしも２連逆止弁である必要はなく、逆止弁を２体配設してもよい。１０は給湯装置１が設置された後に配設され給湯用配管３の湯水が給水源に逆流するのを防止する逆止弁である。
次に、過圧防止弁８の内部構造について説明する。
図２は本発明の一実施の形態における過圧防止弁の要部側面図である。
図２において、８はバネ式安全弁たる過圧防止弁本体、２０は耐脱亜鉛性の材料からなる中空円筒状の弁箱、２１は弁箱２０の給湯用配管３側の内壁に形成された弁座、２２は弁箱２０の浴槽用循環配管４側の開口部に嵌設され中心部に流体の通路が確保された弁ふた、２３は弁箱２０の内部に螺設されたバネ押さえたる圧力調整ねじである。圧力調整ねじ２３をまわし、バネを伸縮させることによって、開弁時の給湯用配管３内の圧力を所定値に設定することが可能である。２４は弁座２１に当接して配設されたバネ受けである弁体、２５は弁体２４の弁座２１側の端部に配設された天然ゴムやＮＢＲ等のソフトシート、２６は両端が圧力調整ねじ２３の給湯用配管３側の端部と弁体２４の浴槽用循環配管４側の端部とに支持されたバネであり、弁体２４を閉弁方向に押圧することによりソフトシート２５を弁座２１に水密状態に当接させている。
尚、圧力調整ねじ２３によって調整される開弁時の圧力は１２．５ｋｇ／ｃｍ2 〜１７．５ｋｇ／ｃｍ2 、より好ましくは１５ｋｇ／ｃｍ2 前後とするのが好適である。
以上のように構成された一実施の形態における給湯装置について、以下その動作を説明する。
給湯直後の給湯器１の給湯用配管３の加熱部の湯水がいわゆる後沸き現象により膨張すると、圧力は伝播し、給湯用配管の上流側から下流側にかけて均一にかかる。この時、給湯用配管３内の圧力が設定値（本実施の形態では１５ｋｇｆ／ｃｍ2 ）以上になった場合、弁体２４が膨張水の押圧によって開弁方向に摺動し弁体２４のソフトシート２５と弁座２１の間に隙間ができる。その隙間を通じて膨張水が過圧防止弁８の内部に進入し、浴槽用循環配管４側へ流入する。湯水が浴槽用循環配管４側へ流入し、給湯用配管３内の圧力が設定値より小さくなると、弁体２４はバネ２６の押圧によって閉弁方向に摺動し、ソフトシート２５と弁座２１は水密状態に当接するので、湯水の浴槽用循環配管４側への流入は止まる。この際、浴槽用循環配管４側へ流入する湯水の量は微量であり浴槽用循環配管４側への影響はない。
【００１０】
以上のように、本実施の形態の給湯装置によれば、以下の作用が得られる。
ａ．一端側が注湯電磁弁６の下流側の湯張り路５に連通され他端側が給水配管３ａに連通された逃し管路７と、逃し管路７の所定部に単体で取り外し可能に配設されたバネ式安全弁たる過圧防止弁８と、を備えただけなので、構造が簡単で生産性を向上できる。
ｂ．給湯直後の燃焼部２の配管内の湯水がいわゆる後沸き現象により膨張すると、圧力は伝播するので給湯用配管３に均一にかかる。この際、給湯用配管３内の圧力が一定値以上になると、過圧防止弁８が開弁し、膨張水は逃し管路７、風呂往き配管４ｂを通じて浴槽水として排出されるので、排水手段を設けることが不要となり、給湯装置１を低原価で量産できるとともに、設置作業の作業工数を大幅に減らすことができる。
ｃ．逆止弁１０と過圧防止弁８とは別個に形成されており、逆止弁１０は給湯装置１を設置したあと現地において配設するため、逆止弁１０が二重に取り付けられることがない。
ｄ．給湯用配管３と給水源は逆止弁１０のみで通じており、沸かした湯水が給水源側に逆流することがなく、安全性に優れる。
ｅ．逃し管路７の上流側の端部が給水配管３ａに連通されているので、過圧防止弁８に流入する湯水の温度を抑えることができるので、ソフトシート２５の材質として間に天然ゴム等の耐熱性の劣る材料を使用してもよく過圧防止弁８への負担を軽減することができ、コストアップをおさえることができるとともに耐久性に優れる。
ｆ．過圧防止弁８が単体で取り外し可能なため、過圧防止弁８が破損しても過圧防止弁８だけを取り替えればよく、メンテナンス性に優れる。また、過圧防止弁８の下流側の通路断面の直径は１．５ｍｍ以下であり、狭通路であるため、微量の水漏れにとどまる。
ｇ．２連逆止弁９が配設されているため、風呂往き配管４ｂの湯水が逃し管路７と湯張り路５を通じて給水配管３ａに流入することがなく、衛生性に優れている。
ｈ．給湯用配管３内には、給湯用の蛇口を瞬時に閉じた場合、水撃（ウォーターハンマー）による高圧が発生し、給湯用配管３内の各部を損傷すると同時に不快な振動、騒音を発生することがあるが、これらを防止又は緩和することができる。
【００１１】
【発明の効果】
以上のように本発明の給湯装置によれば、以下のような優れた効果を有する。
請求項１に記載の給湯装置によれば、以下の効果を有する。
ａ．両端が開閉弁の上流側と下流側とに連通された逃し管路と、逃し管路の所定部に配設された過圧防止弁と、を備えただけなので、構造が簡単で生産性を向上できる給湯装置を提供することが可能となる。
ｂ．排水手段を設けることが不要であり、給湯装置を低原価で量産できるとともに、設置作業の作業工数を大幅に減らすことができる給湯装置を提供することが可能となる。
ｃ．逆止弁と過圧防止弁とは別個に形成されており、逆止弁は現地において給湯装置を設置したあとに配設するため、逆止弁が二重に取り付けられることがない給湯装置を提供することが可能となる。
ｄ．給湯用配管と給水源は逆止弁のみで通じており、沸かした湯水が給水源に逆流することがなく、安全性に優れている給湯装置を提供することが可能となる。
ｅ．給湯用配管内には、給湯用の蛇口を瞬時に閉じた場合、水撃（ウォーターハンマー）による高圧が発生し、給湯用配管内の各部が損傷すると同時に不快な振動、騒音を発生することがあるが、これらを防止又は緩和することができるので安全性に優れるとともに耐久性に優れる。
ｆ．過圧防止弁への負担を軽減することができ、コストアップをおさえることができるとともに耐久性に優れている給湯装置を提供することが可能となる。
【００１２】
請求項２に記載の給湯装置によれば、請求項１の効果に加え、以下の効果を有する。
ａ．過圧防止弁が破損しても過圧防止弁だけを取り替えればよく、メンテナンス性に優れた給湯装置を提供することが可能となる。
ｂ．過圧防止弁を他機種との共通部品とすることができるので、汎用性に優れた給湯装置を提供することが可能となる。
ｃ．過圧防止弁の材料として要求される耐脱亜鉛性の材料は高値であるが、過圧防止弁を単体で設計するため小型化でき、経済性に優れた給湯装置を提供することが可能となる。
【００１３】
請求項３に記載の給湯装置によれば、請求項１又は２の効果に加え、以下の効果を有する。
ａ．万一、逆止弁が開閉部に固形物（ゴミ）を挟み込み、弁が開いた状態のままになっても、他の逆止弁が、浴槽循環用配管の湯水が逃し管路と湯張り路を通じて給湯用配管に流入することを防ぎ、衛生性に優れている給湯装置を提供することが可能となる。
【００１４】
請求項４に記載の給湯装置によれば、請求項１乃至３の何れか一項の効果に加え、以下の効果を有する。
ａ．過圧防止弁が破損し水漏れを生じても、狭通路であるので、微量の水漏れにとどまり、衛生性に優れるとともに経済性に優れた給湯装置を提供することが可能となる。
【００１５】
【図面の簡単な説明】
【図１】本発明の一実施の形態における給湯装置の概略図
【図２】本発明の一実施の形態における過圧防止弁の要部側面図
【符号の説明】
１  給湯装置
２  燃焼部
３  給湯用配管
３ａ  給水配管
３ｂ  出湯配管
４  浴槽用循環配管
４ａ  風呂戻り配管
４ｂ  風呂往き配管
５  湯張り路
６  注湯電磁弁
７  逃し管路
８  過圧防止弁
９  ２連逆止弁
１０  逆止弁
２０  弁箱
２１  弁座
２２  弁ふた
２３  圧力調整ねじ
２４  弁体
２５  ソフトシート
２６  バネ
【図１】
0004044703.tif 000002
【図２】
0004044703.tif 000003